(57)【要約】【課題】ディスプレーパネルのデジタル・サイネージとしての機能を向上できる表示装置を提供する。【解決手段】表示装置１は、ディスプレーパネル５と、制御部９とを備える。ディスプレーパネル５は、画像ＩＭを表示する。制御部９は、ディスプレーパネル５の特定の一部ＴＡが透き通るように、ディスプレーパネル５を制御する。ディスプレーパネル５の特定の一部ＴＡの位置と形態とサイズとのうちの少なくとも１つが変化するように、制御部９は、ディスプレーパネル５を制御する。【選択図】図１
2019086737.tif 000002
【特許請求の範囲】
【請求項１】
画像を表示するディスプレーパネルと、
前記ディスプレーパネルの特定の一部が透き通るように、前記ディスプレーパネルを制御する制御部と
を備える、表示装置。
【請求項２】
前記ディスプレーパネルの前記特定の一部の位置と形態とサイズとのうちの少なくとも１つが変化するように、前記制御部は、前記ディスプレーパネルを制御する、請求項１に記載の表示装置。
【請求項３】
前記ディスプレーパネルの前記特定の一部に隣接して所定情報を表示するように、前記制御部は、前記ディスプレーパネルを制御する、請求項１または請求項２に記載の表示装置。
【請求項４】
前記ディスプレーパネルに対向している物体に対応するように、前記制御部は、前記特定の一部の位置と形態とサイズとのうちの少なくとも１つを設定する、請求項１から請求項３のいずれか１項に記載の表示装置。
【請求項５】
前記ディスプレーパネルの表示している前記画像に対応するように、前記制御部は、前記特定の一部の形態を設定する、請求項１から請求項４のいずれか１項に記載の表示装置。
【請求項６】
前記ディスプレーパネルの前記特定の一部の位置と形態とサイズとのうちの少なくとも１つがジェスチャーに応答して変化するように、前記制御部は、前記ディスプレーパネルを制御する、請求項１から請求項５のいずれか１項に記載の表示装置。
【請求項７】
前記制御部は、前記ディスプレーパネルの前記特定の一部の位置を視線に基づいて設定する、請求項１から請求項６のいずれか１項に記載の表示装置。
【請求項８】
ディスプレーパネルに対して特定の一部を設定するステップと、
前記特定の一部が透き通るように、前記ディスプレーパネルを制御するステップと
を含む、制御方法。
【請求項９】
コンピューターに、
ディスプレーパネルに対して特定の一部を設定するステップと、
前記特定の一部が透き通るように、前記ディスプレーパネルを制御するステップと
を実行させるためのコンピュータープログラム。
【発明の詳細な説明】
【技術分野】
【０００１】
本発明は、表示装置、制御方法、及びコンピュータープログラムに関する。
【背景技術】
【０００２】
特許文献１に記載されたディスプレーシステムは、透明ディスプレーパネルを含む。透明ディスプレーパネルは映像を表示する。
【先行技術文献】
【特許文献】
【０００３】
【特許文献１】特表２０１４−５０３８３５号公報
【発明の概要】
【発明が解決しようとする課題】
【０００４】
しかしながら、特許文献１に記載されたディスプレーシステムでは、透明ディスプレーパネルに映像を表示することによって、透明ディスプレーパネルをデジタル・サイネージ（電子看板）として機能させているに過ぎない。換言すれば、パネルが透明であるという透明ディスプレーパネルの特性が十分に活用されていない。
【０００５】
そこで、本願の発明者は、透明ディスプレーパネルの特性を十分に活用して、透明ディスプレーパネルのデジタル・サイネージとしての機能をさらに向上させることに着目した。
【０００６】
本発明は上記課題に鑑みてなされたものであり、その目的は、ディスプレーパネルのデジタル・サイネージとしての機能を向上できる表示装置、制御方法、及びコンピュータープログラムを提供することにある。
【課題を解決するための手段】
【０００７】
本発明の第１の局面によれば、表示装置は、ディスプレーパネルと、制御部とを備える。ディスプレーパネルは、画像を表示する。制御部は、前記ディスプレーパネルの特定の一部が透き通るように、前記ディスプレーパネルを制御する。
【０００８】
本発明の第２の局面によれば、制御方法は、ディスプレーパネルに対して特定の一部を設定するステップと、前記特定の一部が透き通るように、前記ディスプレーパネルを制御するステップとを含む。
【０００９】
本発明の第３の局面によれば、コンピュータープログラムは、コンピューターに、ディスプレーパネルに対して特定の一部を設定するステップと、前記特定の一部が透き通るように、前記ディスプレーパネルを制御するステップとを実行させる。
【発明の効果】
【００１０】
本発明によれば、ディスプレーパネルのデジタル・サイネージとしての機能を向上できる。
【図面の簡単な説明】
【００１１】
【図１】本発明の実施形態１に係る表示システムの動作例を示す図である。
【図２】（ａ）は、実施形態１に係る特定の一部の位置の変化を示す図である。（ｂ）は、実施形態１に係る特定の一部の形態の変化を示す図である。（ｃ）は、実施形態１に係る特定の一部のサイズの変化を示す図である。
【図３】実施形態１に係る表示システムを示す機能ブロック図である。
【図４】実施形態１に係る制御方法を示すフローチャートである。
【図５】実施形態１に係る透明設定処理を示すフローチャートである。
【図６】実施形態１に係る透明処理を示すフローチャートである。
【図７】実施形態１に係るパネル駆動処理を示すフローチャートである。
【図８】（ａ）は、本発明の実施形態２に係る表示システムの動作例を示す図である。（ｂ）は、実施形態２に係る表示システムの他の動作例を示す図である。
【図９】実施形態２に係る表示装置がユーザーからの入力を受け付けるときの処理を示すフローチャートである。
【図１０】実施形態２に係る制御方法を示すフローチャートである。
【図１１】実施形態２に係る透明処理を示すフローチャートである。
【図１２】本発明の実施形態３に係る表示システムの動作例を示す図である。
【図１３】実施形態３に係る表示システムを示す機能ブロック図である。
【図１４】実施形態３に係る制御方法を示すフローチャートである。
【図１５】実施形態３に係る検出信号処理を示すフローチャートである。
【図１６】実施形態３に係る透明設定処理を示すフローチャートである。
【図１７】本発明の実施形態４に係る表示システムの動作例を示す図である。
【図１８】実施形態４に係る表示システムを示す機能ブロック図である。
【図１９】（ａ）は、実施形態４に係る第１視線角を示す図である。（ｂ）は、実施形態４に係る第２視線角を示す図である。
【図２０】実施形態４に係る検出信号処理を示すフローチャートである。
【図２１】実施形態４に係る透明設定処理を示すフローチャートである。
【発明を実施するための形態】
【００１２】
以下、本発明の実施形態について、図面を参照しながら説明する。なお、図中、同一または相当部分については同一の参照符号を付して説明を繰り返さない。また、実施形態において、Ｘ軸及びＺ軸は水平方向に略平行であり、Ｙ軸は鉛直方向に略平行であり、Ｘ軸とＹ軸とＺ軸とは互いに直交する。
【００１３】
（実施形態１）
図１〜図７を参照して、本発明の実施形態１に係る表示システム１００を説明する。まず、図１を参照して、表示システム１００の動作例を説明する。図１は、表示システム１００の動作例を示す図である。図１に示すように、表示システム１００は、表示装置１と、ボディー３とを備える。実施形態１では、表示装置１とボディー３とで、収容装置（例えば、冷蔵ショーケース）を構成する。ボディー３は、略箱形状を有し、物体（例えば、商品）を収容する。表示装置１は、ボディー３に対して開閉自在であり、扉を構成する。
【００１４】
表示装置１は、ディスプレーパネル５と、フレーム７と、制御部９とを含む。ディスプレーパネル５は画像ＩＭを表示する。ディスプレーパネル５は、画像ＩＭを表示していないときには、透明であり、透き通っている。「透明」は、無色透明、半透明、または有色透明である。換言すれば、「透明」は、ディスプレーパネル５の表面側と裏面側とのうち表面側から、ディスプレーパネル５の裏面側に位置する物体を視認可能なことを示す。ディスプレーパネル５は、例えば、液晶パネルまたは有機ＥＬ（Ｅｌｅｃｔｒｏ  Ｌｕｍｉｎｅｓｃｅｎｃｅ）パネルである。フレーム７はディスプレーパネル５を支持する。
【００１５】
ディスプレーパネル５は、例えば、透明な電極、透明な基板、及び透明な物質層（例えば、液晶層又は有機ＥＬ層）により形成される。ディスプレーパネル５を透き通るように構成する原理は、種々存在するが、原理の種類に関係なく、本発明を適用できる。例えば、ディスプレーパネル５は、透過型液晶パネルであり、ディスプレーパネル５の表示面の
裏面に対向しない位置（例えば、ボディー３の内部の壁面）にバックライトを備える構成を有していてもよい。又は、例えば、ディスプレーパネル５は、自発光型有機ＥＬパネルであってもよい。以下、ディスプレーパネル５として、透過型液晶パネルを例として説明する。
【００１６】
制御部９は、ディスプレーパネル５が画像ＩＭを表示するように、ディスプレーパネル５を制御する。制御部９は、例えば、フレーム７の内部に設置される。制御部９は、ディスプレーパネル５の特定の一部ＴＡが透き通るように、ディスプレーパネル５を制御する。
【００１７】
以上、図１を参照して説明したように、実施形態１によれば、ディスプレーパネル５に画像ＩＭを表示することによって、ディスプレーパネル５をデジタル・サイネージ（電子看板）として機能させることができる。加えて、ディスプレーパネル５の特定の一部ＴＡが透き通る。従って、特定の一部ＴＡが人間ＨＭの注意を引き、人間ＨＭは、画像ＩＭだけでなく、特定の一部ＴＡにも視線を向ける。その結果、特定の一部ＴＡがデジタル・サイネージとして機能して、ディスプレーパネル５のデジタル・サイネージとしての機能を向上できる。
【００１８】
例えば、ディスプレーパネル５の表面側に位置する人間ＨＭは、特定の一部ＴＡを通して、ディスプレーパネル５の裏面側に位置する物体を視認できる。換言すれば、特定の一部ＴＡが、ディスプレーパネル５の裏面側に位置する物体に視線を誘導する。従って、特定の一部ＴＡは、物体に対するデジタル・サイネージとして機能する。
【００１９】
特に、画像ＩＭの一部が特定の一部ＴＡによって透明になるため、特定の一部ＴＡがさらに目立つ。従って、特定の一部ＴＡは、人間ＨＭの注意をさらに引きつける。その結果、特定の一部ＴＡがデジタル・サイネージとして効果的に機能して、ディスプレーパネル５のデジタル・サイネージとしての機能をさらに向上できる。
【００２０】
また、実施形態１によれば、画像ＩＭを表示しつつ、特定の一部ＴＡが透き通るため、ディスプレーパネル５の近くにいる人間の欲求とディスプレーパネル５から遠くにいる人間の欲求との双方を満足できる。近くにいる人間の欲求は、ディスプレーパネル５の裏面側に位置する物体（例えば、ボディー３に収容された物体）を視認したいことである。一方、遠くにいる人間の欲求は、ディスプレーパネル５に表示された画像ＩＭを視認したいことである。
【００２１】
具体的には、近くにいる人間は、特定の一部ＴＡを通して、ディスプレーパネル５の裏面側に位置する物体を視認できる。一方、遠くにいる人間は、ディスプレーパネル５に表示された画像ＩＭを視認できる。
【００２２】
例えば、人間は、特定の一部ＴＡを通して、ディスプレーパネル５の裏面側に位置する商品を視認できる。従って、特定の一部ＴＡは、ディスプレーパネル５の近くにいる人間に対して、商品の宣伝広告ツールとして機能する。一方、例えば、ディスプレーパネル５は、宣伝広告のための画像ＩＭを表示できる。従って、ディスプレーパネル５は、ディスプレーパネル５から遠くにいる人間に対して、宣伝広告ツールとして機能する。
【００２３】
さらに、実施形態１では、ディスプレーパネル５の特定の一部ＴＡの位置と形態とサイズとのうちの少なくとも１つが変化するように、制御部９は、ディスプレーパネル５を制御することが好ましい。本明細書において、特定の一部ＴＡの「形態」は、特定の一部ＴＡの外観または姿を示し、例えば、特定の一部ＴＡの形状を含む。
【００２４】
特定の一部ＴＡの位置と形態とサイズとのうちの少なくとも１つを変化させると、特定の一部ＴＡは、人間ＨＭの注意をさらに引きつける。従って、人間ＨＭの視線を特定の一部ＴＡに効果的に誘導できる。その結果、特定の一部ＴＡをデジタル・サイネージとしてさらに効果的に機能させることができる。
【００２５】
次に、図２（ａ）〜図２（ｃ）を参照して、特定の一部ＴＡの位置が変化する制御、特定の一部ＴＡの形態が変化する制御、及び特定の一部ＴＡのサイズが変化する制御を説明する。
【００２６】
図２（ａ）は、特定の一部ＴＡの位置の変化を示す図である。図２（ａ）に示すように、透き通る領域としての特定の一部ＴＡの位置が変化するように、制御部９は、ディスプレーパネル５を制御する。その結果、特定の一部ＴＡが移動する。特定の一部ＴＡは、例えば、略矩形形状を有する。特定の一部ＴＡの位置は、例えば、座標（ｘ、ｙ）によって示される。例えば、座標（ｘ、ｙ）は、特定の一部ＴＡの一角部の位置を示す。座標（ｘ、ｙ）は、ディスプレーパネル５に設定された二次元直交座標系の座標を示す。座標原点Ｏは、ディスプレーパネル５の一側辺と上辺との交点に設定される。なお、ディスプレーパネル５は、上辺と下辺と一対の側辺とを有する。
【００２７】
図２（ｂ）は、特定の一部ＴＡの形態の変化を示す図である。図２（ｂ）に示すように、透き通る領域としての特定の一部ＴＡの形態が変化するように、制御部９は、ディスプレーパネル５を制御する。その結果、特定の一部ＴＡの形態が変化する。
【００２８】
図２（ｂ）では、「形態の変化」の一例として、特定の一部ＴＡが、出現と消滅とを繰り返している。また、「形態の変化」の他の一例として、特定の一部ＴＡの形状が、第１形状（例えば、矩形形状）から第２形状（例えば、円形形状）に変化する。
【００２９】
図２（ｃ）は、特定の一部ＴＡのサイズの変化を示す図である。図２（ｃ）に示すように、透き通る領域としての特定の一部ＴＡのサイズが変化するように、制御部９は、ディスプレーパネル５を制御する。その結果、特定の一部ＴＡのサイズが変化する。特定の一部ＴＡのサイズは、例えば、特定の一部ＴＡの寸法または面積によって示される。例えば、特定の一部ＴＡが略矩形形状を有する場合は、特定の一部ＴＡのサイズは、寸法としての水平幅Ｋｘ及び垂直幅Ｋｙによって示される。
【００３０】
次に、図３を参照して、表示システム１００について説明する。図３は、表示システム１００を示す機能ブロック図である。図３に示すように、表示システム１００は、表示装置１に加えて、画像信号出力部１１と、入力部１５とをさらに備えることが好ましい。画像信号出力部１１は、アナログまたはデジタルの画像信号を表示装置１の制御部９に出力する。画像信号は、動画を含んでもよいし、静止画を含んでもよい。画像信号出力部１１は、例えば、パーソナルコンピューターまたはテレビジョン受像機を含む。
【００３１】
入力部１５は、ユーザーから情報の入力を受け付け、受け付けた情報を含む入力信号を制御部９に出力する。入力部１５は、例えば、各種操作ボタンを含む。
【００３２】
表示装置１は、ディスプレーパネル５及び制御部９に加えて、記憶部１３をさらに含むことが好ましい。記憶部１３はデータ及びコンピュータープログラムを記憶する。例えば、記憶部１３は、制御部９の各処理に必要なデータを一時的に記憶したり、表示装置１に対する設定データを記憶したりする。記憶部１３は、記憶装置（主記憶装置及び補助記憶装置）を含み、例えば、メモリー及びハードディスクドライブを含む。記憶部１３はリムーバブルメディアを含んでもよい。
【００３３】
制御部９は、画像信号処理部１７と、透明設定部１９と、透明処理部２１と、パネル駆動部２３とを含む。制御部９は、入力情報処理部１６をさらに含むことが好ましい。
【００３４】
入力情報処理部１６は、入力部１５が出力した入力信号を受信する。そして、入力情報処理部１６は、入力信号を処理し、入力処理アルゴリズムに応じて表示装置１の状態を変化させる。表示装置１の状態を変化させることは、例えば、記憶部１３にデータを記憶させることを含む。
【００３５】
画像信号処理部１７は、画像信号出力部１１が出力した画像信号を受信する。そして、画像信号処理部１７は、画像信号に対して画像処理（例えば、時空間フィルター処理）を実行して、画像処理後の画像信号を透明処理部２１に出力する。
【００３６】
透明設定部１９は、ディスプレーパネル５に対して、特定の一部ＴＡを設定する。具体的には、透明設定部１９は、ディスプレーパネル５の特定の一部ＴＡの位置と形態とサイズとのうちの少なくとも１つが変化するように、特定の一部ＴＡの位置と形態とサイズとを決定する。そして、透明設定部１９は、特定の一部ＴＡの位置を示す情報、特定の一部ＴＡの形態を示す情報、及び特定の一部ＴＡのサイズを示す情報を、透明処理部２１に出力する。なお、特定の一部ＴＡの形態を示す情報は、特定の一部ＴＡの形態が存在しないこと、つまり、特定の一部ＴＡが存在しないことを示してもよい。
【００３７】
以下、本明細書において、特定の一部ＴＡの位置を示す情報を「位置情報」と記載し、特定の一部ＴＡの形態を示す情報を「形態情報」と記載し、特定の一部ＴＡのサイズを示す情報を「サイズ情報」と記載する。
【００３８】
透明処理部２１は、特定の一部ＴＡの位置情報、形態情報、及びサイズ情報に基づいて、画像信号処理部１７からの画像信号の示す画像のうち、特定の一部ＴＡに対応する領域（以下、「透明対象領域」と記載する場合がある。）を特定する。そして、透明処理部２１は、透明対象領域に対して、透明色を設定する。「透明色」は、無色透明、半透明、または有色透明である。さらに、透明処理部２１は、透明対象領域に透明色を設定した後の画像を示す画像データを、パネル駆動部２３に出力する。
【００３９】
パネル駆動部２３は、画像データの示す画像をディスプレーパネル５が表示するように、ディスプレーパネル５を駆動する。その結果、ディスプレーパネル５は、特定の一部ＴＡを透き通らせつつ、画像を表示する。
【００４０】
なお、制御部９は、例えば、画像処理回路、表示ドライバー、及びプロセッサーを含む。そして、例えば、画像信号処理部１７が画像処理回路によって実現され、パネル駆動部２３が表示ドライバーによって実現される。また、プロセッサーが、記憶部１３に記憶されたコンピュータープログラムを実行することによって、透明設定部１９及び透明処理部２１として機能する。また、制御部９は、コンピューターを構成する。
【００４１】
次に、図３及び図４を参照して、表示装置１の制御部９が実行する制御方法について説明する。図４は、制御方法を示すフローチャートである。図４に示すように、制御方法は、ステップＳ１〜ステップＳ７を含む。例えば、記憶部１３に記憶されたコンピュータープログラムが、制御方法を制御部９に実行させる。
【００４２】
図３及び図４に示すように、ステップＳ１において、透明設定部１９は、記憶部１３から、特定の一部ＴＡの定義情報を取得する。特定の一部ＴＡの定義情報は、特定の一部ＴＡを規定するための情報を示す。具体的には、特定の一部ＴＡの定義情報は、特定の一部ＴＡの位置情報Ａ１と形態情報Ａ２とサイズ情報Ａ３とを含む。
【００４３】
ステップＳ３において、透明設定部１９は透明設定処理を実行する。ステップＳ３が、例えば、「ディスプレーパネル５に対して特定の一部ＴＡを設定するステップ」に相当する。ステップＳ５において、透明処理部２１は透明処理を実行する。ステップＳ５が、例えば、「ディスプレーパネル５の特定の一部ＴＡが透き通るように、ディスプレーパネル５を制御するステップ」に相当する。ステップＳ７において、パネル駆動部２３はパネル駆動処理を実行する。処理は、ステップＳ７の後、ステップＳ３に進む。
【００４４】
次に、図３及び図５を参照して、図４のステップＳ３を説明する。図５は、図４のステップＳ３の透明設定処理を示すフローチャートである。図５は、特定の一部ＴＡの位置が変化する制御を実行する際の透明設定処理を示している。図５に示すように、透明設定処理は、ステップＳ２１及びステップＳ２３を含む。
【００４５】
図３及び図５に示すように、ステップＳ２１において、透明設定部１９は、特定の一部ＴＡを移動するアルゴリズムに従って、特定の一部ＴＡの位置情報Ａ１を変更する。
【００４６】
ステップＳ２３において、透明設定部１９は、特定の一部ＴＡの変更後の位置情報Ａ１、並びに、特定の一部ＴＡの形態情報Ａ２及びサイズ情報Ａ３を、透明処理部２１に出力する。
【００４７】
なお、特定の一部ＴＡの形態が変化する制御を実行する際は、ステップＳ２１において、透明設定部１９は、特定の一部ＴＡの形態を変化させるアルゴリズムに従って、特定の一部ＴＡの形態情報Ａ２を変更する。ステップＳ２３において、透明設定部１９は、特定の一部ＴＡの位置情報Ａ１及びサイズ情報Ａ３、並びに、特定の一部ＴＡの変更後の形態情報Ａ２を、透明処理部２１に出力する。
【００４８】
また、特定の一部ＴＡのサイズが変化する制御を実行する際は、ステップＳ２１において、透明設定部１９は、特定の一部ＴＡのサイズを変化させるアルゴリズムに従って、特定の一部ＴＡのサイズ情報Ａ３を変更する。ステップＳ２３において、透明設定部１９は、特定の一部ＴＡの位置情報Ａ１及び形態情報Ａ２、並びに、特定の一部ＴＡの変更後のサイズ情報Ａ３を、透明処理部２１に出力する。
【００４９】
次に、図３及び図６を参照して、図４のステップＳ５を説明する。図６は、図４のステップＳ５の透明処理を示すフローチャートである。図６に示すように、透明処理は、ステップＳ３１〜ステップＳ３５を含む。
【００５０】
図３及び図６に示すように、ステップＳ３１において、透明処理部２１は、透明設定部１９から、特定の一部ＴＡの位置情報Ａ１、形態情報Ａ２、及びサイズ情報Ａ３を受信する。
【００５１】
ステップＳ３３において、透明処理部２１は、位置情報Ａ１と形態情報Ａ２とサイズ情報Ａ３とによって特定の一部ＴＡを規定し、画像信号処理部１７からの画像信号の示す画像のうち、特定の一部ＴＡに対応する領域、つまり、透明対象領域に対して、透明色を設定する。つまり、透明処理部２１は、透明対象領域が透明になるように、透明対象領域を処理する。例えば、ディスプレーパネル５がディスプレーパネル５の黒色領域を透過して表示するデバイスである場合、透明処理部２１は、透明処理として、透明対象領域を黒色に塗り潰す。黒色に塗り潰すことが、透明対象領域に透明色を設定することに相当する。なお、「画像信号の示す画像」とは、画像ＩＭと、画像ＩＭの背景画像とを含む全体画像のことである。「画像信号の示す画像」は矩形形状を有する。
【００５２】
ステップＳ３５において、透明処理部２１は、透明対象領域に透明色を設定した後の画像を示す画像データを、パネル駆動部２３に出力する。
【００５３】
次に、図３及び図７を参照して、図４のステップＳ７を説明する。図７は、図４のステップＳ７のパネル駆動処理を示すフローチャートである。図７に示すように、パネル駆動処理は、ステップＳ４１〜ステップＳ４５を含む。
【００５４】
図３及び図７に示すように、ステップＳ４１において、パネル駆動部２３は、透明処理部２１から、透明対象領域に透明色を設定した後の画像を示す画像データを受信する。
【００５５】
ステップＳ４３において、パネル駆動部２３は、画像データのデータ形式を、ディスプレーパネル５が表示可能なデータ形式に変換する。
【００５６】
ステップＳ４５において、パネル駆動部２３は、データ形式の変換された画像データを、ディスプレーパネル５に出力する。その結果、ディスプレーパネル５は、透明対象領域に対応する特定の一部ＴＡが透き通るように、画像データによって示される画像を表示する。
【００５７】
（実施形態２）
図３及び図８（ａ）〜図１１を参照して、本発明の実施形態２に係る表示システム１００について説明する。実施形態２に係る表示システム１００が、特定の一部ＴＡに隣接して所定情報を表示する点、特定の一部ＴＡを物体（例えば、商品）に対応させている点、または、特定の一部ＴＡを画像ＩＭに対応させている点で、実施形態２は実施形態１と主に異なる。以下、実施形態２が、実施形態１と異なる点を主に説明する。また、実施形態２に係る表示システム１００の構成は、実施形態１に係る表示システム１００の構成と同様であるため、図３を適宜参照する。
【００５８】
まず、図８（ａ）を参照して、実施形態２に係る表示システム１００の動作例を説明する。図８（ａ）は、表示システム１００の動作例を示す図である。図８（ａ）に示すように、特定の一部ＴＡが透き通っている。従って、実施形態１と同様に、特定の一部ＴＡがデジタル・サイネージとして機能して、ディスプレーパネル５のデジタル・サイネージとしての機能を向上できる。
【００５９】
また、画像ＩＭとともに、ディスプレーパネル５の特定の一部ＴＡに隣接して所定情報ＩＭＡ（以下、「隣接情報ＩＭＡ」と記載する。）を表示するように、制御部９は、ディスプレーパネル５を制御する。隣接情報ＩＭＡは、特定の一部ＴＡに隣接して表示する画像または記号を示す。記号は、例えば、文字（例えば、「お買い得」の文字）であってもよいし、数字であってもよいし、マークであってもよい。隣接情報ＩＭＡは、例えば、特定の一部ＴＡを装飾するための装飾画像または装飾記号として機能する。
【００６０】
以上、図８（ａ）を参照して説明したように、実施形態２によれば、特定の一部ＴＡに隣接して隣接情報ＩＭＡを表示するため、特定の一部ＴＡに、人間の注意をさらに引きつけることができる。従って、人間の視線を特定の一部ＴＡにさらに効果的に誘導できる。
【００６１】
また、ディスプレーパネル５に対向している物体３１に対応するように、制御部９は、特定の一部ＴＡの位置と形態とサイズとのうちの少なくとも１つを設定している。従って、人間は、特定の一部ＴＡを通して、物体３１を容易に視認できる。物体３１は、ディスプレーパネル５の裏面側に位置する物体、つまり、ボディー３（図１）に収容されている物体（例えば、商品）を示す。具体的には、ディスプレーパネル５の表面と裏面とのうち裏面に対向している物体３１に対応するように、制御部９は、特定の一部ＴＡの位置と形
態とサイズとのうちの少なくとも１つを設定する。
【００６２】
実施形態２によれば、特定の一部ＴＡが物体３１に対応しているため、特定の一部ＴＡを通して、物体３１に、人間の注意を引きつけることができる。従って、人間の視線を物体３１に効果的に誘導できる。特に、隣接情報ＩＭＡを、物体３１に関連する情報に設定することによって、人間の視線を物体３１にさらに効果的に誘導できる。「物体３１に関連する情報」は、例えば、物体３１の産地、品質、原材料、効能、若しくは価格を示す情報、または、物体３１の産地、品質、原材料、効能、若しくは価格を間接的に示す情報（例えば、「お買い得」）である。隣接情報ＩＭＡは、例えば、物体３１を装飾するための装飾画像または装飾記号として機能する。
【００６３】
例えば、特定の一部ＴＡの全部または一部分が、ディスプレーパネル５に対向している物体３１に対向するように、制御部９は、特定の一部ＴＡの位置と形態とサイズとのうちの少なくとも１つを設定する。
【００６４】
例えば、特定の一部ＴＡの位置が、ディスプレーパネル５に対向している物体３１の位置に対応するように、制御部９は、特定の一部ＴＡの位置を設定する。特定の一部ＴＡの位置が物体３１の位置に対応していることは、例えば、特定の一部ＴＡの位置が物体３１の位置に略一致または近接することであってよい。
【００６５】
例えば、特定の一部ＴＡの形態が、ディスプレーパネル５に対向している物体３１の形態に対応するように、制御部９は、特定の一部ＴＡの形態を設定する。特定の一部ＴＡの形態が物体３１の形態に対応していることは、例えば、特定の一部ＴＡの形態が物体３１の形態に略一致することであってよい。また、特定の一部ＴＡの形態が物体３１の形態に対応していることは、例えば、特定の一部ＴＡの形状が物体３１の形状の概観を表す形状に略一致することであってもよい。「物体３１の形状の概観を表す形状」は、例えば、物体３１がビール瓶の場合、「縦長の矩形形状」である。
【００６６】
例えば、特定の一部ＴＡのサイズが、ディスプレーパネル５に対向している物体３１のサイズに対応するように、制御部９は、特定の一部ＴＡのサイズを設定する。特定の一部ＴＡのサイズが物体３１のサイズに対応していることは、例えば、特定の一部ＴＡのサイズが物体３１のサイズに略一致することであってよい。特定の一部ＴＡのサイズが物体３１のサイズに対応していることは、例えば、特定の一部ＴＡの形状のサイズが物体３１の形状の概観を表す形状のサイズに略一致していることであってもよい。
【００６７】
次に、図８（ｂ）を参照して、表示システム１００の他の動作例を説明する。図８（ｂ）は、表示システム１００の他の動作例を示す図である。図８（ｂ）に示すように、ディスプレーパネル５は、例えば、画像ＩＭ１及び画像ＩＭ２を表示している。そして、ディスプレーパネル５の表示している画像ＩＭ１に対応するように、制御部９は、特定の一部ＴＡの形態を設定する。
【００６８】
従って、実施形態２によれば、画像ＩＭ１と特定の一部ＴＡの形態との相乗効果によって、ディスプレーパネル５のデジタル・サイネージとしての機能をさらに向上できる。
【００６９】
例えば、特定の一部ＴＡの形態が、画像ＩＭ１の形態に対応するように、制御部９は、特定の一部ＴＡの形態を設定する。特定の一部ＴＡの形態が画像ＩＭ１の形態に対応していることは、例えば、特定の一部ＴＡの形態が画像ＩＭ１の形態に略一致することである。
【００７０】
なお、画像ＩＭ１及び画像ＩＭ２とともに、ディスプレーパネル５の特定の一部ＴＡに
隣接して隣接情報ＩＭＡを表示するように、制御部９は、ディスプレーパネル５を制御してもよい。
【００７１】
次に、図３及び図９を参照して、ユーザーから特定の一部ＴＡの定義情報の入力を受け付けるときのときの処理について説明する。図９は、表示装置１がユーザーからの入力を受け付けるときの処理を示すフローチャートである。図９に示すように、処理はステップＳ５１及びステップＳ５３を含む。
【００７２】
図３及び図９に示すように、ステップＳ５１において、入力部１５は、ユーザーから、特定の一部ＴＡの定義情報として、特定の一部ＴＡの位置情報Ｂ１、形態情報Ｂ２、サイズ情報Ｂ３、及び特定の一部ＴＡに対する隣接情報ＩＭＡ（以下、「隣接情報Ｂ４」と記載する。）のうち、一部又は全部の情報の入力を受け付ける。そして、入力部１５は、位置情報Ｂ１、形態情報Ｂ２、サイズ情報Ｂ３、及び隣接情報Ｂ４のうち、一部又は全部の情報を含む入力信号を入力情報処理部１６に出力する。
【００７３】
例えば、ディスプレーパネル５がＯＳＤ（Ｏｎ  Ｓｃｒｅｅｎ  Ｄｉｓｐｌａｙ）メニューを表示する。そして、入力部１５を介して、ＯＳＤメニューによる入力及び制御コマンドによって、位置情報Ｂ１、形態情報Ｂ２、サイズ情報Ｂ３、及び／又は隣接情報Ｂ４が入力される。また、例えば、入力部１５は、ＵＳＢメモリーのようなリムーバブルメディアであってもよい。そして、リムーバブルメディアを表示装置１に接続して、リムーバブルメディアから、位置情報Ｂ１、形態情報Ｂ２、サイズ情報Ｂ３、及び／又は隣接情報Ｂ４を入力してもよい。
【００７４】
ステップＳ５３において、入力情報処理部１６は、入力部１５が出力した入力信号から、位置情報Ｂ１、形態情報Ｂ２、サイズ情報Ｂ３、及び隣接情報Ｂ４のうち、入力信号に含まれる情報を抽出する。そして、入力情報処理部１６は、抽出した情報のデータ形式を、透明設定部１９が利用可能なデータ形式に変換する。さらに、入力情報処理部１６は、データ形式の変換された情報を記憶するように、記憶部１３を制御する。その結果、記憶部１３は、位置情報Ｂ１、形態情報Ｂ２、サイズ情報Ｂ３、及び隣接情報Ｂ４のうち、入力信号に含まれる情報を記憶する。
【００７５】
以上、図９を参照して説明したように、実施形態２によれば、ユーザーは、特定の一部ＴＡの位置情報、形態情報、サイズ情報、及び隣接情報を、所望の位置情報Ｂ１、形態情報Ｂ２、サイズ情報Ｂ３、及び隣接情報Ｂ４に設定できる。
【００７６】
例えば、ユーザーは、ボディー３に収容された物体（例えば、商品）のうち、所望の物体に対応するように、特定の一部ＴＡの位置情報Ｂ１、形態情報Ｂ２、サイズ情報Ｂ３、及び隣接情報Ｂ４を設定できる。または、例えば、ユーザーは、画像ＩＭ１または画像ＩＭ２に対応するように、特定の一部ＴＡの位置情報Ｂ１、形態情報Ｂ２、サイズ情報Ｂ３、及び隣接情報Ｂ４を設定できる。
【００７７】
次に、図３、図７、及び図１０を参照して、表示装置１の制御部９が実行する制御方法について説明する。図１０は、制御方法を示すフローチャートである。図１０に示すように、制御方法は、ステップＳ６１〜ステップＳ６７を含む。例えば、記憶部１３に記憶されたコンピュータープログラムが、制御方法を制御部９に実行させる。
【００７８】
ステップＳ６１において、透明設定部１９は、記憶部１３から、特定の一部ＴＡの定義情報を取得する。具体的には、特定の一部ＴＡの定義情報は、図９のステップＳ５３で記憶された位置情報Ｂ１と形態情報Ｂ２とサイズ情報Ｂ３と隣接情報Ｂ４とを含む。
【００７９】
ステップＳ６３において、透明設定部１９は透明設定処理を実行する。具体的には、透明設定部１９は、位置情報Ｂ１と形態情報Ｂ２とサイズ情報Ｂ３と隣接情報Ｂ４とを、透明処理部２１に出力する。ステップＳ６３が、例えば、「ディスプレーパネル５に対して特定の一部ＴＡを設定するステップ」に相当する。
【００８０】
ステップＳ６５において、透明処理部２１は透明処理を実行する。具体的には、透明処理部２１は、実施形態１と同様に、特定の一部ＴＡに対応する透明対象領域に対して、透明色を設定する。加えて、透明処理部２１は、透明対象領域に隣接して隣接情報Ｂ４を配置する。ステップＳ６５が、例えば、「ディスプレーパネル５の特定の一部ＴＡが透き通るように、ディスプレーパネル５を制御するステップ」に相当する。
【００８１】
ステップＳ６７において、パネル駆動部２３はパネル駆動処理を実行する。ステップＳ６７のパネル駆動処理は、図７に示すパネル駆動処理と同様である。処理は、ステップＳ６７の後、ステップＳ６５に進む。
【００８２】
次に、図３及び図１１を参照して、図１０のステップＳ６５を説明する。図１１は、図１０のステップＳ６５の透明処理を示すフローチャートである。図１１に示すように、透明処理は、ステップＳ８１〜ステップＳ８７を含む。
【００８３】
図３及び図１１に示すように、ステップＳ８１において、透明処理部２１は、透明設定部１９から、特定の一部ＴＡの位置情報Ｂ１、形態情報Ｂ２、サイズ情報Ｂ３、及び隣接情報Ｂ４を受信する。
【００８４】
ステップＳ８３において、透明処理部２１は、位置情報Ｂ１と形態情報Ｂ２とサイズ情報Ｂ３とによって特定の一部ＴＡを規定し、実施形態１と同様に、画像信号処理部１７からの画像信号の示す画像（以下、「画像ＩＭＧ」と記載する。）のうち、特定の一部ＴＡに対応する領域、つまり、透明対象領域に対して、透明色を設定する。なお、「画像信号の示す画像ＩＭＧ」とは、画像ＩＭと、画像ＩＭの背景画像とを含む全体画像のことである。「画像信号の示す画像ＩＭＧ」は矩形形状を有する。
【００８５】
ステップＳ８５において、透明処理部２１は、透明対象領域に透明色の設定された画像ＩＭＧ上に、透明対象領域に隣接して隣接情報Ｂ４を配置する。
【００８６】
ステップＳ８７において、透明処理部２１は、透明対象領域への透明色の設定と隣接情報Ｂ４の配置とが実行された後の画像ＩＭＧを示す画像データを、パネル駆動部２３に出力する。
【００８７】
（実施形態３）
図１２〜図１６を参照して、本発明の実施形態３に係る表示システム１００Ａについて説明する。実施形態３に係る表示システム１００Ａが、ジェスチャーに応答して特定の一部ＴＡを変化させる点で、実施形態３は実施形態１と主に異なる。以下、実施形態３が、実施形態１と異なる点を主に説明する。
【００８８】
まず、図１２を参照して、表示システム１００Ａの動作例を説明する。図１２は、表示システム１００Ａの動作例を示す図である。図１２に示すように、実施形態１と同様に、特定の一部ＴＡが透き通っている。従って、実施形態１と同様に、特定の一部ＴＡがデジタル・サイネージとして機能して、ディスプレーパネル５のデジタル・サイネージとしての機能を向上できる。
【００８９】
また、表示システム１００Ａの表示装置１は、実施形態１に係る制御部９に代えて、制
御部９Ａを含む。制御部９Ａは、ディスプレーパネル５の特定の一部ＴＡの位置と形態とサイズとのうちの少なくとも１つがジェスチャーに応答して変化するように、ディスプレーパネル５を制御する。従って、ジェスチャーに応答して、特定の一部ＴＡは、移動したり、拡大したり、縮小したりする。または、ジェスチャーに応答して、特定の一部ＴＡの形態が変化する。ジェスチャーは、例えば、指、手、または腕によるジェスチャーを示す。
【００９０】
以上、図１２を参照して説明したように、実施形態３によれば、人間ＨＭは、ジェスチャーによって、特定の一部ＴＡの位置と形態とサイズとのうちの少なくとも１つを変化させて、所望の位置に特定の一部ＴＡを移動させたり、所望の形態に特定の一部ＴＡを変化させたり、所望のサイズに特定の一部ＴＡを変化させたりすることができる。従って、人間ＨＭにとって便宜である。例えば、人間ＨＭは、ディスプレーパネル５の裏面側に位置する様々な物体のうち、所望の物体を視認できるように、特定の一部ＴＡの位置と形態とサイズとのうちの少なくとも１つを変化させることができる。
【００９１】
具体的には、図１２に示すように、表示システム１００Ａは、実施形態１に係る表示システム１００の構成に加えて、検出部４１をさらに備えることが好ましい。検出部４１は被検出体を検出する。典型的には、被検出体は人間ＨＭである。以下、被検出体を「被検出体ＨＭ」と記載する。
【００９２】
制御部９Ａは、検出部４１の検出結果に基づいて、複数種類のジェスチャーのうちから、被検出体ＨＭが行ったジェスチャーを特定する。そして、ディスプレーパネル５の特定の一部ＴＡの位置と形態とサイズとのうちの少なくとも１つが被検出体ＨＭのジェスチャーに応答して変化するように、制御部９Ａは、ディスプレーパネル５を制御する。
【００９３】
具体的には、検出部４１は、タッチ検出部４３と、撮像部４５とを含む。タッチ検出部４３は、ディスプレーパネル５の表示面に対する被検出体ＨＭのタッチ位置を検出する。タッチ検出部４３は、例えば、タッチパネルである。タッチ検出部４３は、ディスプレーパネル５上に設置される。従って、表示システム１００Ａのうちの表示装置１がタッチ検出部４３を含む。なお、タッチ検出部４３がタッチパネルである場合、タッチ検出部４３は、オンセル型であってもよいし、インセル型であってもよい。
【００９４】
撮像部４５は、被検出体ＨＭを撮像する。撮像部４５は、例えば、カメラである。撮像部４５の設置場所は、被検出体ＨＭの全体像を撮像できる場所であれば、特に限定されない。そこで、例えば、撮像部４５は、ボディー３の前面上端部に設置される。
【００９５】
制御部９Ａは、検出部４１の検出結果または撮像部４５の撮像結果に基づいて、複数種類のジェスチャーのうちから、被検出体ＨＭが行ったジェスチャーを特定する。
【００９６】
次に、図１３を参照して、表示システム１００Ａを説明する。図１３は、表示システム１００Ａを示す機能ブロック図である。図１３に示すように、検出部４１は、被検出体ＨＭを検出して、被検出体ＨＭの検出信号を一定時間間隔で制御部９Ａに出力する。具体的には、タッチ検出部４３は、ディスプレーパネル５の表示面に対するタッチ位置を検出して、検出信号としてのタッチ検出信号を制御部９Ａに出力する。撮像部４５は、被検出体ＨＭを撮像して、検出信号としての撮像信号を制御部９Ａに出力する。
【００９７】
制御部９Ａは、実施形態１に係る制御部９の構成に加えて、検出信号処理部６１をさらに含む。
【００９８】
検出信号処理部６１は、検出部４１から、タッチ検出信号または撮像信号を受信する。
そして、検出信号処理部６１は、タッチ検出信号または撮像信号に基づいて、被検出体ＨＭのジェスチャーを特定する。そして、検出信号処理部６１は、ジェスチャーを示す情報を透明設定部１９に出力する。
【００９９】
透明設定部１９は、被検出体ＨＭのジェスチャーに基づいて、特定の一部ＴＡの位置、形態、及びサイズを算出する。そして、透明設定部１９は、特定の一部ＴＡの位置情報、形態情報、及びサイズ情報を、透明処理部２１に出力する。
【０１００】
なお、透明処理部２１、パネル駆動部２３、及び画像信号処理部１７の動作は、それぞれ、実施形態１に係る透明処理部２１、パネル駆動部２３、及び画像信号処理部１７の動作と同様である。
【０１０１】
また、制御部９Ａは、例えば、画像処理回路、表示ドライバー、及びプロセッサーを含む。また、プロセッサーが、記憶部１３に記憶されたコンピュータープログラムを実行することによって、透明設定部１９、透明処理部２１、及び検出信号処理部６１として機能する。また、制御部９Ａは、コンピューターを構成する。
【０１０２】
次に、図１３及び図１４を参照して、表示装置１の制御部９Ａが実行する制御方法について説明する。図１４は、制御方法を示すフローチャートである。図１４に示すように、制御方法は、ステップＳ１０１〜ステップＳ１０９を含む。例えば、記憶部１３に記憶されたコンピュータープログラムが、制御方法を制御部９Ａに実行させる。
【０１０３】
図１３及び図１４に示すように、ステップＳ１０１において、透明設定部１９は、実施形態１と同様に、記憶部１３から、特定の一部ＴＡの定義情報として、特定の一部ＴＡの位置情報Ａ１と形態情報Ａ２とサイズ情報Ａ３とを取得する。ディスプレーパネル５は、位置情報Ａ１と形態情報Ａ２とサイズ情報Ａ３とで規定される特定の一部ＴＡを初期設定として、特定の一部ＴＡが透き通るように、画像ＩＭを表示する。
【０１０４】
ステップＳ１０３において、検出信号処理部６１は検出信号処理を実行する。ステップＳ１０５において、透明設定部１９は透明設定処理を実行する。ステップＳ１０５が、例えば、「ディスプレーパネル５に対して特定の一部ＴＡを設定するステップ」に相当する。ステップＳ１０７において、透明処理部２５は透明処理を実行する。ステップＳ１０７が、例えば、「ディスプレーパネル５の特定の一部ＴＡが透き通るように、ディスプレーパネル５を制御するステップ」に相当する。ステップＳ１０９において、パネル駆動部２３はパネル駆動処理を実行する。ステップＳ１０７の透明処理及びステップＳ１０９のパネル駆動処理は、それぞれ、図６に示す透明処理及び図７に示すパネル駆動処理と同様である。
【０１０５】
次に、図１３及び図１５を参照して、図１４のステップＳ１０３を説明する。図１５は、図１４のステップＳ１０３の検出信号処理を示すフローチャートである。図１５は、タッチ検出部４３からのタッチ検出信号に基づいてジェスチャーを特定する際の検出信号処理を示している。
【０１０６】
図１５に示すように、ステップＳ１２１において、検出信号処理部６１は、タッチ検出部４３からタッチ検出信号を受信する。
【０１０７】
ステップＳ１２３において、検出信号処理部６１は、タッチ検出信号に基づいて、ディスプレーパネル５の表示面に対する被検出体ＨＭのタッチ位置を算出する。
【０１０８】
ステップＳ１２５において、検出信号処理部６１は、タッチ位置の履歴に基づいて、複
数種類のジェスチャーのうちから、被検出体ＨＭのタッチ操作によるジェスチャーを特定する。
【０１０９】
ステップＳ１２７において、検出信号処理部６１は、タッチ位置を示す情報Ｃ１（以下、「タッチ位置情報Ｃ１」と記載する。）及びジェスチャーを示す情報Ｃ２（以下、「ジェスチャー情報Ｃ２」と記載する。）を透明設定部１９に出力する。
【０１１０】
なお、撮像部４５からの撮像信号に基づいてジェスチャーを特定する際の検出信号処理では、ステップＳ１２１において、検出信号処理部６１は、撮像部４５から撮像信号を受信する。ステップＳ１２３において、検出信号処理部６１は、撮像信号に基づいて、被検出体ＨＭの空中での手の位置を算出する。ステップＳ１２５において、検出信号処理部６１は、手の位置の履歴に基づいて、複数種類のジェスチャーのうちから、被検出体ＨＭの手によるジェスチャーを特定する。ステップＳ１２７において、検出信号処理部６１は、手の位置を示す情報Ｃ３（不図示、以下、「ハンド位置情報Ｃ３」と記載する。）及びジェスチャーを示す情報Ｃ４（不図示、以下、「ジェスチャー情報Ｃ４」と記載する。）を透明設定部１９に出力する。
【０１１１】
次に、図１３及び図１６を参照して、図１４のステップＳ１０５を説明する。図１６は、図１４のステップＳ１０５の透明設定処理を示すフローチャートである。図１６に示すように、ステップＳ１４１において、透明設定部１９は、検出信号処理部６１から、タッチ位置情報Ｃ１及びジェスチャー情報Ｃ２を受信する。
【０１１２】
ステップＳ１４３において、透明設定部１９は、タッチ位置情報Ｃ１及びジェスチャー情報Ｃ２に基づいて、特定の一部ＴＡの位置情報Ｅ１と形態情報Ｅ２とサイズ情報Ｅ３とを算出する。
【０１１３】
ステップＳ１４５において、透明設定部１９は、特定の一部ＴＡの位置情報Ｅ１と形態情報Ｅ２とサイズ情報Ｅ３とを、透明処理部２１に出力する。
【０１１４】
なお、撮像部４５からの撮像信号に基づいてジェスチャーを特定する際の透明設定処理では、ステップＳ１４１において、透明設定部１９は、検出信号処理部６１から、ハンド位置情報Ｃ３及びジェスチャー情報Ｃ４を受信する。ステップＳ１４３において、透明設定部１９は、ハンド位置情報Ｃ３及びジェスチャー情報Ｃ４に基づいて、特定の一部ＴＡの位置情報Ｅ１と形態情報Ｅ２とサイズ情報Ｅ３とを算出する。
【０１１５】
（実施形態４）
図１７〜図２１を参照して、本発明の実施形態４に係る表示システム１００Ｂを説明する。実施形態４に係る表示システム１００Ｂが、視線に応じて特定の一部ＴＡの位置を決定する点で、実施形態４は実施形態１及び実施形態３と主に異なる。以下、実施形態４が、実施形態１及び実施形態３と異なる点を主に説明する。
【０１１６】
まず、図１７を参照して、実施形態４に係る表示システム１００Ｂの動作例を説明する。図１７は、表示システム１００Ｂの動作例を示す図である。図１７に示すように、実施形態１と同様に、特定の一部ＴＡが透き通っている。従って、実施形態１と同様に、特定の一部ＴＡがデジタル・サイネージとして機能して、ディスプレーパネル５のデジタル・サイネージとしての機能を向上できる。
【０１１７】
また、表示装置１の制御部９Ａは、ディスプレーパネル５の特定の一部ＴＡの位置を視線ＳＬに基づいて設定する。従って、実施形態４によれば、人間ＨＭの視線ＳＬに応じた位置に、特定の一部ＴＡの位置を設定できる。その結果、人間ＨＭは、特定の一部ＴＡを
通して、ディスプレーパネル５の裏面側に位置する物体を容易に視認できる。また、人間ＨＭは、視線ＳＬを動かすだけで、特定の一部ＴＡの位置を変更できる。その結果、人間ＨＭにとって便宜である。
【０１１８】
具体的には、図１７に示すように、表示システム１００Ｂは、実施形態３に係る表示システム１００Ａの検出部４１に代えて、検出部４１Ａを備える。検出部４１Ａは被検出体を検出する。典型的には、被検出体は人間ＨＭである。以下、被検出体を「被検出体ＨＭ」と記載する。
【０１１９】
検出部４１Ａは、実施形態３に係る撮像部４５と同様の撮像部４５を含む。制御部９Ａは、撮像部４５の撮像結果に基づいて、被検出体ＨＭの視線ＳＬ（具体的には視線方向）を算出する。例えば、制御部９Ａは、アイトラッキング技術（例えば、角膜反射法、暗瞳孔法、又は明瞳孔法）を実行することによって、被検出体ＨＭの視線ＳＬを算出する。そして、制御部９Ａは、被検出体ＨＭの視線ＳＬに基づいて特定の一部ＴＡの位置を設定する。特定の一部ＴＡの位置は、実施形態１と同様に、座標（ｘ、ｙ）によって示される。「ｘ」は、ディスプレーパネル５上の第１方向Ｄ１の位置を示す。第１方向Ｄ１は、ディスプレーパネル５の下辺または上辺に略平行な方向を示す。「ｙ」は、ディスプレーパネル５上の第２方向Ｄ２の位置を示す。第２方向Ｄ２は、ディスプレーパネル５の側辺に略平行な方向を示す。
【０１２０】
検出部４１Ａは測距部７１をさらに含むことが好ましい。測距部７１の設置場所は、表示装置１と被検出体ＨＭとの距離Ｌｚを検出できる場所であれば、特に限定されない。そこで、例えば、測距部７１は、ボディー３の前面下端部に設置され、第１方向Ｄ１に沿って延びる。測距部７１は、ディスプレーパネル５に対する被検出体ＨＭの距離を検出する。測距部７１は、例えば、測距センサーを含む。制御部９Ａは、測距部７１の検出結果に基づいて、ディスプレーパネル５に対する被検出体ＨＭの距離を算出する。
【０１２１】
制御部９Ａは、ディスプレーパネル５に対する被検出体ＨＭの距離と視線ＳＬとに基づいて、被検出体ＨＭの注視点ＧＰを算出することが好ましい。注視点ＧＰは、視線ＳＬとディスプレーパネル５との交点を示す。そして、制御部９Ａは、被検出体ＨＭの注視点ＧＰに基づいて特定の一部ＴＡの位置を設定することが好ましい。例えば、制御部９Ａは、特定の一部ＴＡの一角部の位置を、注視点ＧＰの位置に設定することが好ましい。例えば、制御部９Ａは、特定の一部ＴＡの中心位置を、注視点ＧＰの位置に設定することが更に好ましい。
【０１２２】
ディスプレーパネル５に対する被検出体ＨＭの距離は、距離Ｌｚと横距離Ｌｘとを含む。距離Ｌｚは、被検出体ＨＭとディスプレーパネル５との間の距離を示す。横距離Ｌｘは、基準線ＢＬに対する被検出体ＨＭの第１方向Ｄ１に沿った距離を示す。基準線ＢＬは、第３方向Ｄ３に略平行である。第３方向Ｄ３は、ディスプレーパネル５の表示面に略直交する方向を示す。さらに、基準線ＢＬは、ディスプレーパネル５の一側辺に略直交する。
【０１２３】
次に、図１８を参照して、表示システム１００Ｂを説明する。図１８は、表示システム１００Ｂを示す機能ブロック図である。図１８に示すように、検出部４１Ａは、被検出体ＨＭを検出して、被検出体ＨＭの検出信号を一定時間間隔で制御部９Ａに出力する。
【０１２４】
具体的には、撮像部４５は、被検出体ＨＭを撮像して、検出信号としての撮像信号を制御部９Ａに出力する。測距部７１は、距離Ｌｚを検出して、検出信号としての第１測距信号を制御部９Ａに出力する。また、測距部７１は、横距離Ｌｘを検出して、検出信号としての第２測距信号を制御部９Ａに出力する。
【０１２５】
検出信号処理部６１は、撮像信号に基づいて、被検出体ＨＭの視線ＳＬ（例えば、視線角）を算出する。また、検出信号処理部６１は、第１測距信号に基づいて距離Ｌｚを算出し、第２測距信号に基づいて横距離Ｌｘを算出する。そして、検出信号処理部６１は、距離Ｌｚ、横距離Ｌｘ、及び視線ＳＬを示すデータを透明設定部１９に出力する。
【０１２６】
透明設定部１９は、距離Ｌｚ、横距離Ｌｘ、及び視線ＳＬに基づいて注視点ＧＰを算出する。そして、透明設定部１９は、被検出体ＨＭの注視点ＧＰに基づいて、特定の一部ＴＡの位置を設定する。さらに、透明設定部１９は、特定の一部ＴＡの位置情報、形態情報、及びサイズ情報を、透明処理部２１に出力する。
【０１２７】
次に、図１８、図１９（ａ）、及び図１９（ｂ）を参照して、視線ＳＬに基づく注視点ＧＰの算出手順を説明する。図１９（ａ）及び図１９（ｂ）は、被検出体ＨＭの視線ＳＬを示す図である。図１９（ａ）では、ディスプレーパネル５及び被検出体ＨＭの上方から、ディスプレーパネル５及び被検出体ＨＭを見ている。図１９（ｂ）では、ディスプレーパネル５及び被検出体ＨＭの側方から、ディスプレーパネル５及び被検出体ＨＭを見ている。
【０１２８】
図１９（ａ）及び図１９（ｂ）に示すように、視線ＳＬは、第１視線角θｘと第２視線角θｙとで定義される。第１視線角θｘは、視線ＳＬの水平方向の角度を示す。第２視線角θｙは、視線ＳＬの鉛直方向の角度を示す。
【０１２９】
そして、図１８、図１９（ａ）、及び図１９（ｂ）に示すように、透明設定部１９は、横距離Ｌｘ、距離Ｌｚ、第１視線角θｘ、ディスプレーパネル５の高さｈ、被検出体ＨＭの長さＨ、及び第２視線角θｙを用いて、式（１）及び式（２）に従って、注視点ＧＰの位置を示す座標（ｘａ、ｙａ）を算出する。そして、透明設定部１９は、例えば、特定の一部ＴＡの座標（ｘ、ｙ）を注視点ＧＰの座標（ｘａ、ｙａ）に設定する。
【０１３０】
ｘａ＝Ｌｘ−Ｌａ＝Ｌｘ−（Ｌｚ／ｔａｎ  θｘ）      …（１）
ｙａ＝ｈ−Ｈｂ＝ｈ−（Ｈ−Ｈａ）＝ｈ−（Ｈ−（Ｌｚ／ｔａｎ  θｙ））
…（２）
【０１３１】
式（１）の距離Ｌａは、内角として第１視線角θｘを有する直角三角形の隣辺の長さを示す。直角三角形の対辺の長さは距離Ｌｚに一致する。式（２）の距離Ｈａは、内角として第２視線角θｙを有する直角三角形の隣辺の長さを示す。直角三角形の対辺の長さは距離Ｌｚに一致する。式（２）の距離Ｈｂは、ディスプレーパネル５の設置面ＩＳに対する注視点の高さを示す。
【０１３２】
高さｈは、ディスプレーパネル５の設置面ＩＳに対するディスプレーパネル５の高さを示す。なお、ディスプレーパネル５は、設置面ＩＳに直接設置されていてもよいし、設置面ＩＳに間接的に設置されていてもよい。長さＨは、被検出体ＨＭの鉛直方向に沿った長さ（具体的には身長）を示す。
【０１３３】
なお、図１８、図１９（ａ）、及び図１９（ｂ）に示すように、検出信号処理部６１は、撮像部４５からの撮像信号に基づいて、式（１）及び式（２）で使用する第１視線角θｘ及び第２視線角θｙを算出する。
【０１３４】
例えば、撮像信号の示す撮像画像は、被検出体ＨＭとしての人間の眼の像を含む。そして、検出信号処理部６１は、撮像画像中の眼に設定された基準点に対する動点の移動ベクトルを算出する。基準点は、例えば、眼が正面を向いているときの虹彩の中心点に設定される。動点は、例えば、虹彩が移動したときの虹彩の中心点である。そして、検出信号処
理部６１は、移動ベクトルを水平成分と垂直成分とに分解する。さらに、検出信号処理部６１は、水平成分の長さＬｈ（不図示）に基づいて第１視線角θｘを算出し、垂直成分の長さＬｖ（不図示）に基づいて第２視線角θｙを算出する。例えば、検出信号処理部６１は、虹彩が眼の左端に位置するときの第１視線角θｘを０度に設定し、虹彩が基準点に位置するときの第１視線角θｘを９０度に設定し、虹彩が眼の右端に位置するときの第１視線角θｘを１８０度に設定する。また、検出信号処理部６１は、虹彩が眼の右端に位置するときの水平成分の長さＬｈを「Ｌｍ」に設定する。従って、虹彩が基準点と眼の右端との間に位置するときの第１視線角θｘは、「９０＋（Ｌｈ／Ｌｍ）×９０」度になる。
【０１３５】
また、式（１）及び式（２）で使用する距離Ｌｚ、横距離Ｌｘ、及び長さＨは、次のようにして算出される。
【０１３６】
すなわち、図１７に示すように、測距部７１は、例えば、被検出体ＨＭに光波又は音波を照射し、被検出体ＨＭによって反射された光波又は音波を受光又は受音することによって、被検出体ＨＭとディスプレーパネル５との間の距離Ｌｚを検出する。従って、距離Ｌｚは、被検出体ＨＭと測距部７１との間の距離によって表される。測距部７１は、距離Ｌｚに対応する第１測距信号を検出信号処理部６１に出力する。検出信号処理部６１は、第１測距信号に基づいて距離Ｌｚを算出する。
【０１３７】
例えば、測距部７１及び検出信号処理部６１は、三角測距方式に準じた構成を有し、三角測距方式に準じた処理を実行する。そして、例えば、光波を利用する三角測距方式とは、被検出体ＨＭの距離変化に起因する受光素子上の被検出体ＨＭの結像位置の変化を距離Ｌｚに換算する方式のことである。従って、測距部７１は、発光素子及び受光素子を有し、受光素子の受光信号を第１測距信号として出力する。そして、検出信号処理部６１は、三角測距方式に従って、第１測距信号に基づいて距離Ｌｚを算出する。
【０１３８】
また、測距部７１は、例えば、被検出体ＨＭに光を照射し、被検出体ＨＭによって反射された光を受光することによって、横距離Ｌｘを検出する。測距部７１は、横距離Ｌｘに対応する第２測距信号を検出信号処理部６１に出力する。検出信号処理部６１は、第２測距信号に基づいて横距離Ｌｘを算出する。
【０１３９】
例えば、測距部７１は、Ｋ個の光学センサーを有する。「Ｋ」は２以上の整数である。光学センサーの各々は発光素子及び受光素子を有する。Ｋ個の光学センサーが、第１方向Ｄ１に沿って一直線上に配置される。各光学センサーは、第１方向Ｄ１に沿った幅Ｗを有する。測距部７１は、各光学センサーの受光素子の受光信号を第２測距信号として出力する。そして、検出信号処理部６１は、１番目〜Ｋ番目の光学センサーのうち、基準線ＢＬの側からｋ番目の光学センサーが被検出体ＨＭを検出すると、「ｋ×Ｗ」を横距離Ｌｘとして算出する。
【０１４０】
また、検出信号処理部６１は、撮像信号に基づいて被検出体ＨＭの長さＨを算出する。例えば、検出信号処理部６１は、撮像画像に含まれる被検出体ＨＭの頂部（具体的には頭頂部）の位置と、被検出体ＨＭとディスプレーパネル５との間の距離Ｌｚとに基づいて、被検出体ＨＭの長さＨを算出する。
【０１４１】
次に、図１４及び図１８を参照して、表示装置１の制御部９Ａが実行する制御方法を説明する。図１４に示すように、実施形態４に係る制御方法は、実施形態３と同様に、ステップＳ１０１〜ステップＳ１０９を含む。実施形態４に係るステップＳ１０１は、実施形態３に係るステップＳ１０１と同様である。ステップＳ１０３において、検出信号処理部６１は検出信号処理を実行する。ステップＳ１０５において、透明設定部１９は透明設定処理を実行する。実施形態４に係るステップＳ１０７及びステップＳ１０９は、それぞれ
、実施形態３に係るステップＳ１０７及びステップＳ１０９と同様である。
【０１４２】
次に、図１８及び図２０を参照して、図１４のステップＳ１０３を説明する。図２０は、図１４のステップＳ１０３の検出信号処理を示すフローチャートである。図２０に示すように、検出信号処理は、ステップＳ１５１〜ステップＳ１６１を含む。
【０１４３】
図１８及び図２０に示すように、ステップＳ１５１において、検出信号処理部６１は、撮像部４５から撮像信号を受信し、測距部７１から第１測距信号及び第２測距信号を受信する。
【０１４４】
ステップＳ１５３において、検出信号処理部６１は、第１測距信号に基づいて、被検出体ＨＭとディスプレーパネル５との間の距離Ｌｚを算出する。
【０１４５】
ステップＳ１５５において、検出信号処理部６１は、第２測距信号に基づいて、被検出体ＨＭの横距離Ｌｘを算出する。
【０１４６】
ステップＳ１５７において、検出信号処理部６１は、撮像信号に基づいて、被検出体ＨＭの長さＨを算出する。
【０１４７】
ステップＳ１５９において、検出信号処理部６１は、撮像信号に基づいて、被検出体ＨＭの第１視線角θｘ及び第２視線角θｙを算出する。
【０１４８】
ステップＳ１６１において、検出信号処理部６１は、距離Ｌｚ、横距離Ｌｘ、長さＨ、第１視線角θｘ、及び第２視線角θｙを示すデータを、透明設定部１９に出力する。
【０１４９】
次に、図１８及び図２１を参照して、図１４のステップＳ１０５を説明する。図２１は、図１４のステップＳ１０５の透明設定処理を示すフローチャートである。図２１に示すように、透明設定処理は、ステップＳ１７１〜ステップＳ１７７を含む。
【０１５０】
図１８及び図２１に示すように、ステップＳ１７１において、透明設定部１９は、検出信号処理部６１から、距離Ｌｚ、横距離Ｌｘ、長さＨ、第１視線角θｘ、及び第２視線角θｙを示すデータを受信する。
【０１５１】
ステップＳ１７３において、透明設定部１９は、式（１）及び式（２）に従って、被検出体ＨＭの注視点ＧＰの座標（ｘａ、ｙａ）を算出する。
【０１５２】
ステップＳ１７５において、透明設定部１９は、特定の一部ＴＡの座標（ｘ、ｙ）を、注視点ＧＰの座標（ｘａ、ｙｂ）に設定する。
【０１５３】
ステップＳ１７７において、透明設定部１９は、特定の一部ＴＡの位置情報を示す座標（ｘａ、ｙａ）、並びに、特定の一部ＴＡの形態情報Ａ２及びサイズ情報Ａ３を、透明処理部２５に出力する。
【０１５４】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各
構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１５５】
（１）実施形態１の特定の一部ＴＡの特徴（位置、形態、またｈサイズの変化）と、実施形態２の特定の一部ＴＡの特徴（隣接画像、物体に対応、または画像に対応）と、実施形態３の特定の一部ＴＡの特徴（ジェスチャーに応答して変化）と、実施形態４の特定の一部ＴＡの特徴（視線に応じて位置を設定）とのうち、一部または全部を適宜組み合わせることができる。
【０１５６】
（２）実施形態３において、被検出体ＨＭを撮像できる限りは、撮像部４５の設置位置は、表示装置１の外部に限定されない。例えば、表示装置１が撮像部４５を備えていて、撮像部４５が表示装置１に設置されていてもよい。また、実施形態４において、視線ＳＬ、距離Ｌｚ、横距離Ｌｘ、及び長さＨを検出できる限りは、検出部４１Ａの設置位置は、表示装置１の外部に限定されない。例えば、表示装置１が検出部４１Ａを備えていて、検出部４１Ａが表示装置１に設置されていてもよい。
【０１５７】
（３）実施形態３において、タッチ位置の算出及びジェスチャーの特定を実行できる限りは、制御部９Ａがタッチ位置の算出及びジェスチャーの特定を実行することに限定されない。例えば、検出部４１が、検出部４１の検出結果に基づいて、タッチ位置の算出及びジェスチャーの特定を実行してもよい。また、ジェスチャーを検出できる限りは、表示システム１００Ａは、タッチ検出部４３及び撮像部４５のいずれか一方を備えていればよい。
また、実施形態４において、距離Ｌｚ、横距離Ｌｘ、長さＨ、第１視線角θｘ、及び第２視線角θｙを算出できる限りは、制御部９Ａが距離Ｌｚ、横距離Ｌｘ、長さＨ、第１視線角θｘ、及び第２視線角θｙを算出することに限定されない。例えば、検出部４１Ａが、検出部４１Ａの検出結果に基づいて、距離Ｌｚ、横距離Ｌｘ、長さＨ、第１視線角θｘ、及び第２視線角θｙのうちの一部または全部を算出してもよい。この場合、制御部９Ａは、検出部４１Ａから、距離Ｌｚ、横距離Ｌｘ、長さＨ、第１視線角θｘ、及び第２視線角θｙのうちの一部または全部を取得する。
【０１５８】
（４）実施形態１〜４において、特定の一部ＴＡの形態は、矩形形状に限定されず、任意の形態に設定できる。また、ボディー３を設けなくてもよい。
【産業上の利用可能性】
【０１５９】
本発明は、表示装置、制御方法、及びコンピュータープログラムを提供するものであり、産業上の利用可能性を有する。
【符号の説明】
【０１６０】
１    表示装置
５    ディスプレーパネル
９、９Ａ    制御部
【図１】
2019086737.tif 000003
【図２】
2019086737.tif 000004
【図３】
2019086737.tif 000005
【図４】
2019086737.tif 000006
【図５】
2019086737.tif 000007
【図６】
2019086737.tif 000008
【図７】
2019086737.tif 000009
【図８】
2019086737.tif 000010
【図９】
2019086737.tif 000011
【図１０】
2019086737.tif 000012
【図１１】
2019086737.tif 000013
【図１２】
2019086737.tif 000014
【図１３】
2019086737.tif 000015
【図１４】
2019086737.tif 000016
【図１５】
2019086737.tif 000017
【図１６】
2019086737.tif 000018
【図１７】
2019086737.tif 000019
【図１８】
2019086737.tif 000020
【図１９】
2019086737.tif 000021
【図２０】
2019086737.tif 000022
【図２１】
2019086737.tif 000023